(57)【要約】【課題】開口部から水分が侵入した場合でも透明窓部から視認可能に収納した収納物が濡れ難い手袋を提供する。【解決手段】手袋体１の甲部分に、収納物７を収納可能な収納部２と、この収納部２内に収納された収納物７を視認可能とする透明窓部３と、前記収納部２と外部とを連通する開口部４と、この開口部４を開閉自在に閉塞する線ファスナー５とが設けられた手袋であって、前記線ファスナー５を、前記透明窓部３と所定の間隔をおいて並設する。【選択図】図１
0003233376.tif 000002
【実用新案登録請求の範囲】
【請求項１】
手袋体の甲部分に、収納物を収納可能な収納部と、この収納部内に収納された収納物を視認可能とする透明窓部と、前記収納部と外部とを連通する開口部と、この開口部を開閉自在に閉塞する線ファスナーとが設けられた手袋であって、
前記線ファスナーは、前記透明窓部と所定の間隔をおいて並設されていることを特徴とする手袋。
【請求項２】
請求項１記載の手袋において、前記線ファスナーは、前記透明窓部の親指側に設けられていることを特徴とする手袋。
【請求項３】
請求項２記載の手袋において、前記透明窓部は矩形状であり、前記線ファスナーは、前記透明窓部の親指側辺部と所定の間隔をおいて該親指側辺部に沿うように一直線状に設けられていることを特徴とする手袋。
【請求項４】
請求項３記載の手袋において、前記線ファスナーは、前記親指側辺部より長いことを特徴とする手袋。
【請求項５】
請求項３，４いずれか１項に記載の手袋において、前記線ファスナーと前記親指側辺部との間隔は3ｍｍ以上であることを特徴とする手袋。
【請求項６】
請求項１〜５いずれか１項に記載の手袋において、前記透明窓部は収納部に収納された収納物としてのチケット類の表面全体を視認可能な大きさであることを特徴とする手袋。
【請求項７】
請求項１〜６いずれか１項に記載の手袋において、前記線ファスナーは水侵入防止処理が施された止水ファスナー若しくは撥水処理が施された撥水ファスナーであることを特徴とする手袋。
【考案の詳細な説明】
【技術分野】
【０００１】
本考案は、手袋に関するものである。
【背景技術】
【０００２】
スキー用グローブなどの防寒用手袋において、手の甲部分に、リフト券を収納する収納部と該収納部に収納されたリフト券を視認可能とする透明窓とを設け、収納されたリフト券を一々取り出すことなく提示できるものがある(特許文献１参照)。
【先行技術文献】
【特許文献】
【０００３】
【特許文献１】特開平06‐134074号公報
【考案の概要】
【考案が解決しようとする課題】
【０００４】
ところで、特許文献１に開示される収納部及び透明窓は、その周囲に直接開閉具(面ファスナー)が設けられているため、開口部と収納物との距離が近く、開口部に付着した雪・雨等の水分で収納したリフト券等の収納物が濡れ易いという課題があった。
【０００５】
本考案は、上述のような現状に鑑みなされたもので、開口部を線ファスナーにより閉塞すると共に、透明窓部から視認できるように収納された収納物と開口部との距離を十分に離すことができ、開口部から水分が侵入した場合でも透明窓部から視認可能に収納した収納物が濡れ難い、これまでにない手袋を提供することを目的とする。
【課題を解決するための手段】
【０００６】
添付図面を参照して本考案の要旨を説明する。
【０００７】
手袋体１の甲部分に、収納物７を収納可能な収納部２と、この収納部２内に収納された収納物７を視認可能とする透明窓部３と、前記収納部２と外部とを連通する開口部４と、この開口部４を開閉自在に閉塞する線ファスナー５とが設けられた手袋であって、
前記線ファスナー５は、前記透明窓部３と所定の間隔をおいて並設されていることを特徴とする手袋に係るものである。
【０００８】
また、請求項１記載の手袋において、前記線ファスナー５は、前記透明窓部３の親指側に設けられていることを特徴とする手袋に係るものである。
【０００９】
また、請求項２記載の手袋において、前記透明窓部３は矩形状であり、前記線ファスナー５は、前記透明窓部３の親指側辺部３ａと所定の間隔をおいて該親指側辺部３ａに沿うように一直線状に設けられていることを特徴とする手袋に係るものである。
【００１０】
また、請求項３記載の手袋において、前記線ファスナー５は、前記親指側辺部３ａより長いことを特徴とする手袋に係るものである。
【００１１】
また、請求項３，４いずれか１項に記載の手袋において、前記線ファスナー５と前記親指側辺部３ａとの間隔は3ｍｍ以上であることを特徴とする手袋に係るものである。
【００１２】
また、請求項１〜５いずれか１項に記載の手袋において、前記透明窓部３は収納部２に収納された収納物７としてのチケット類の表面全体を視認可能な大きさであることを特徴とする手袋に係るものである。
【００１３】
また、請求項１〜６いずれか１項に記載の手袋において、前記線ファスナー５は水侵入防止処理が施された止水ファスナー若しくは撥水処理が施された撥水ファスナーであることを特徴とする手袋に係るものである。
【考案の効果】
【００１４】
本考案は上述のように構成したから、開口部から水分が侵入した場合でも透明窓部から視認可能に収納した収納物が濡れ難い、これまでにない手袋となる。
【図面の簡単な説明】
【００１５】
【図１】本実施例の概略説明図である。
【考案を実施するための形態】
【００１６】
好適と考える本考案の実施形態を、図面に基づいて本考案の作用を示して簡単に説明する。
【００１７】
例えばスキー場のリフト券や小物等の収納物７を、透明窓部３により視認可能な位置に収納する。
【００１８】
この際、線ファスナー５により開口部４が良好に閉塞され、そもそも雪や雨等(水分)が開口部４から侵入し難いのは勿論、線ファスナー５(開口部４)が透明窓部３と所定の間隔をおいて並設されているため、開口部４から多少水分が侵入しても透明窓部３から視認可能な位置に収納された収納物７まで水分が届かず、したがって、収納物７が濡れることが可及的に防止される。
【実施例】
【００１９】
本考案の具体的な実施例について図面に基づいて説明する。
【００２０】
本実施例は、図１に図示したように、例えばスキー用やスノーボード用や登山用に適した防寒手袋に本考案を適用した例である。図中、符号11は親指収納部、12は人差し指収納部、13は他の３指を収納するミトン状指収納部、14は伸縮性を有する素材で構成された手首部である。
【００２１】
本実施例は、手袋体１の甲部分に、収納物７を収納可能な収納部２と、この収納部２内に収納された収納物７を視認可能とする透明窓部３と、前記収納部２と外部とを連通する開口部４と、この開口部４を開閉自在に閉塞する線ファスナー５とが設けられ、前記線ファスナー５は、前記透明窓部３と所定の間隔をおいて並設されているものである。
【００２２】
各部を具体的に説明する。
【００２３】
収納部２は袋状で、手袋体１の甲部分(ミトン状指収納部13の下方側)に設けられている。
【００２４】
収納部２の親指側(人差し指収納部12の下方側)には、開口部４及び線ファスナー５が設けられている。
【００２５】
したがって、反対側の手で線ファスナー５を操作し易く、チケット類等の収納物７の収納もし易い。
【００２６】
線ファスナー５は、水侵入防止処理が施された止水ファスナー若しくは撥水処理が施された撥水ファスナーとするのが望ましい。本実施例では止水ファスナーとしている。
【００２７】
したがって、線ファスナー５に付着した水分はそもそも収納部２に侵入し難く、多少侵入したとしても透明窓部３から視認可能に(開口部４から離間して)収納された収納物７への水分の付着が抑制される。
【００２８】
透明窓部３は矩形状で、その周囲は窓枠部６(透明窓部３を甲部分に縫い付けるための枠状部)で囲まれている。
【００２９】
線ファスナー５は、透明窓部３の親指側辺部３ａ(窓枠部６の内縁)と所定の間隔をおいて該親指側辺部３ａに沿うように一直線状に設けられている。
【００３０】
また、線ファスナー５(開口部４)は、前記親指側辺部３ａ(窓枠部６の縦枠部)より長く設けられており、全開した状態で収納部２の縦寸法と略同等の開口長さとなるように構成されている。
【００３１】
収納部２は矩形状で、縦は透明窓部３より若干大きく構成され、横は透明窓部３の小指側辺部(窓枠部６の小指側縦枠部)のやや外方から線ファスナー５(開口部４)に至る大きさに構成されている。
【００３２】
したがって、収納部２の透明窓部３と線ファスナー５との間には、収納物７が視認できない領域、すなわち、開口部４と透明窓部３との間の距離を確保するための領域が存在する。
【００３３】
また、線ファスナー５と前記親指側辺部３ａとの間隔は3ｍｍ以上、好ましくは5ｍｍ以上、さらに好ましくは7ｍｍ以上とすると、良好に線ファスナー５に付着した水分による収納物７の濡れを防止できる。
【００３４】
本実施例の透明窓部３は収納部２に収納されたチケット類(例えばスキー場のリフト券)の表面全体を視認可能な大きさに設定されている。具体的には、縦向き収納若しくは横向き収納又はいずれもが可能な大きさに設定される(図１では横向きに収納している。)。
【００３５】
したがって、濡れ易いチケット類を開口部４から離れた位置に確実に収納できる。また、奥行きを確保できる分、収納物７の遺失も可及的に抑制される。
【００３６】
なお、収納物７としてチケット類以外の小物、例えば硬貨や車の鍵等を収納しても良い。
【００３７】
本実施例は上述のように構成したから、スキー場のリフト券等のチケット類を、透明窓部３により視認可能な位置に収納した際、線ファスナー５により開口部４が良好に閉塞され、そもそも水分が開口部４から侵入し難いのは勿論、線ファスナー５(開口部４)が透明窓部３と所定の間隔をおいて並設されているため、開口部４から多少水分が侵入しても透明窓部３から視認可能な位置に収納された収納物７まで水分が届かず、したがって、収納物７が濡れることが可及的に防止される。
【００３８】
よって、本実施例は、開口部４から水分が侵入した場合でも透明窓部３から視認可能に収納した収納物７が濡れ難い、これまでにない手袋となる。
【符号の説明】
【００３９】
１  手袋体
２  収納部
３  透明窓部
３ａ  親指側辺部
４  開口部
５  線ファスナー
７  収納物
【図１】
0003233376.tif 000003